(57)【要約】【課題】よりスリムでコンパクトな構造を有し、ＲＦコネクタがボディ内に厚さ方向に内蔵されたキャビティフィルタおよびこれに含まれるコネクティング構造体を提供する。【解決手段】キャビティフィルタは、一面に電極パッドが備えられた外部部材に対して所定距離離隔して備えられたＲＦ信号連結部と、外部部材の電極パッドとＲＦ信号連結部とを電気的に連結させるが、所定距離に存在する組立公差を吸収すると同時に電極パッドとＲＦ信号連結部との間の電気的な流れの断絶を予防する端子部とを含む。端子部は、電極パッドに接点する一側端子と、ＲＦ信号連結部に連結される他側端子とを含み、一側端子および他側端子の少なくともいずれか１つは、他の１つが収容される収容空間が形成され、組立者が提供する組立力によって少なくとも１つの一部が弾性変形して一側端子を電極パッド側に弾性支持するとともに相互間に側面テンションを付加するように備えられている。【選択図】図１
2021527982.tif 000002
【特許請求の範囲】
【請求項１】
一面に電極パッドが備えられた外部部材に対して所定距離離隔して備えられたＲＦ信号連結部と、
前記外部部材の電極パッドと前記ＲＦ信号連結部とを電気的に連結させるが、前記所定距離に存在する組立公差を吸収すると同時に前記電極パッドと前記ＲＦ信号連結部との間の電気的な流れの断絶を予防する端子部とを含み、
前記端子部は、
前記電極パッドに接点する一側端子と、
前記ＲＦ信号連結部に連結される他側端子とを含み、
前記一側端子および前記他側端子の少なくともいずれか１つは、他の１つが収容される収容空間が形成され、組立者が提供する組立力によって少なくとも１つの一部が弾性変形して前記一側端子を前記電極パッド側に弾性支持するとともに相互間に側面テンションを付加する、キャビティフィルタ。
【請求項２】
前記他側端子には、前記一側端子の一部が収容される前記収容空間が形成される、請求項１に記載のキャビティフィルタ。
【請求項３】
前記一側端子の外周面には、外側に上方傾斜して切開されて延びた複数の切開片が形成された、請求項２に記載のキャビティフィルタ。
【請求項４】
前記複数の切開片は、
前記一側端子の外周面のうち相対的に上側部分に形成され、前記他側端子に形成された前記収容空間の外周端に係止されるように外側に延びて形成された弾性切開片と、
前記一側端子の外周面のうち相対的に下側部分に形成され、前記他側端子の収容空間の内部に収容されて前記収容空間の内側面に対して側方に弾性力を付加する側面テンション切開片とを含む、請求項３に記載のキャビティフィルタ。
【請求項５】
前記側面テンション切開片は、前記収容空間の内側面に対して持続的な側面テンションを付加するように形成された、請求項４に記載のキャビティフィルタ。
【請求項６】
前記一側端子のうち前記電極パッドに接点する接点部は、半球の垂直断面形状に形成された、請求項１に記載のキャビティフィルタ。
【請求項７】
前記一側端子のうち前記電極パッドに接点する接点部は、リング形状の水平断面形状に形成された、請求項１に記載のキャビティフィルタ。
【請求項８】
前記一側端子の上端部は、組立者から提供される組立力によって摺綴されるように切開溝が形成された、請求項１に記載のキャビティフィルタ。
【請求項９】
前記他側端子の上端部は、前記一側端子の下部に収容されて備えられ、
前記一側端子には、組立者から提供される組立力によって下方に移動する時、前記他側端子の上端部の外側面に沿って広がるように備えられたテンション切開部が形成された、請求項１に記載のキャビティフィルタ。
【請求項１０】
前記他側端子の上端部は、円錐形態で備えられた、請求項９に記載のキャビティフィルタ。
【請求項１１】
前記他側端子の上端部は、円錐形態からなる上端の一部が切開されて削除された形状に形成された、請求項９に記載のキャビティフィルタ。
【請求項１２】
一面に電極パッドが備えられた外部部材に対して所定距離離隔して備えられたＲＦ信号連結部と、
前記外部部材の電極パッドと前記ＲＦ信号連結部とを電気的に連結させるが、前記所定距離に存在する組立公差を吸収すると同時に前記電極パッドと前記ＲＦ信号連結部との間の電気的な流れの断絶を予防する端子部とを含み、
前記端子部は、
前記電極パッドに接点する一側端子と、
前記ＲＦ信号連結部に連結される他側端子とを含み、
前記一側端子および前記他側端子の少なくともいずれか１つは、他の１つが収容される収容空間が形成され、組立者が提供する組立力によって少なくとも１つの一部が弾性変形して前記一側端子を前記電極パッド側に弾性支持するとともに相互間に側面テンションを付加する、コネクティング構造体。
【発明の詳細な説明】
【技術分野】
【０００１】
本発明は、キャビティフィルタおよびこれに含まれるコネクティング構造体（ＣＡＶＩＴＹ  ＦＩＬＴＥＲ  ＡＮＤ  ＣＯＮＮＥＣＴＯＲ  ＩＮＣＬＵＤＥＤ  ＩＮ  ＴＨＥ  ＳＡＭＥ）に関し、より詳しくは、組立性および大きさを考慮してフィルタと印刷回路基板との間のコネクタ締結構造を改善したＭａｓｓｉｖｅ  ＭＩＭＯアンテナ用キャビティフィルタおよびこれに含まれるコネクティング構造体に関する。
【背景技術】
【０００２】
この部分の記述内容は単に本実施例についての背景情報を提供するに過ぎず、従来技術を構成するものではない。
【０００３】
ＭＩＭＯ（Ｍｕｌｔｉｐｌｅ  Ｉｎｐｕｔ  Ｍｕｌｔｉｐｌｅ  Ｏｕｔｐｕｔ）技術は、複数のアンテナを用いてデータ伝送容量を画期的に増加させる技術であって、送信機ではそれぞれの送信アンテナを介して互いに異なるデータを伝送し、受信機では適切な信号処理により送信データを区分する空間多重化（Ｓｐａｔｉａｌ  ｍｕｌｔｉｐｌｅｘｉｎｇ）手法である。そのため、送受信アンテナの個数を同時に増加させることにより、チャネル容量が増加してより多くのデータを伝送可能にする。例えば、アンテナ数を１０個に増加させると、現在の単一アンテナシステムに比べて、同じ周波数帯域を用いて約１０倍のチャネル容量を確保するようになる。
【０００４】
４Ｇ  ＬＴＥ−ａｄｖａｎｃｅｄでは８個のアンテナまで用いており、現在、ｐｒｅ−５Ｇ段階で６４または１２８個のアンテナを装着した製品が開発されており、５Ｇでははるかに多い数のアンテナを有する基地局装備が用いられることが予想され、これをＭａｓｓｉｖｅ  ＭＩＭＯ技術という。現在のセル（Ｃｅｌｌ）運営が２−Ｄｉｍｅｎｓｉｏｎであるのに対し、Ｍａｓｓｉｖｅ  ＭＩＭＯ技術が導入されると３Ｄ−Ｂｅａｍｆｏｒｍｉｎｇが可能になるので、Ｍａｓｓｉｖｅ  ＭＩＭＯ技術はＦＤ−ＭＩＭＯ（Ｆｕｌｌ  Ｄｉｍｅｎｓｉｏｎ）とも呼ばれる。
【０００５】
Ｍａｓｓｉｖｅ  ＭＩＭＯ技術では、アンテナ素子の個数増加に伴い、それによる送受信機とフィルタの個数も併せて増加する。また、２０１４年ベースで全国的に２０万箇所以上の基地局が設置されている状況である。すなわち、実装空間を最小化し実装が容易なキャビティフィルタの構造が必要になり、個別的にチューニングされたキャビティフィルタがアンテナに実装された後も同一のフィルタ特性を提供するようにするＲＦ信号線連結構造が要求される。
【０００６】
キャビティ構造を有するＲＦフィルタは、金属性導体で形成されたボックス構造の内部に導体の共振棒などで構成された共振器が具備され、固有の周波数の電磁場だけを存在させることで共振によって超高周波の特性周波数のみ通過する特徴を有する。このようなキャビティ構造の帯域通過フィルタは、挿入損失が少なく高出力に有利で、移動通信基地局アンテナのフィルタとして多様に活用されている。
【発明の概要】
【発明が解決しようとする課題】
【０００７】
本発明の目的は、よりスリムでコンパクトな構造を有し、ＲＦコネクタがボディ内に厚さ方向に内蔵されたキャビティフィルタおよびこれに含まれるコネクティング構造体を提供することである。
【０００８】
また、本発明の目的は、複数のフィルタの組立時に発生する組立公差の累積量を最小化できる組立方式と、実装が容易でありながらもフィルタの周波数特性を均一に維持するＲＦ信号連結構造を有するキャビティフィルタおよびこれに含まれるコネクティング構造体を提供することである。
【０００９】
さらに、本発明の目的は、ＲＦピンの分離タイプの場合、相対的な動きを許容しながらも側面テンションを付加して信号の損失が発生するのを防止できるキャビティフィルタおよびこれに含まれるコネクティング構造体を提供することである。
【００１０】
また、本発明の目的は、電気的な連結が必要な２つの部材間の組立公差を吸収しながら一定の接点面積を維持させるとともに、その設置が非常に簡明なキャビティフィルタおよびこれに含まれるコネクティング構造体を提供することである。
【００１１】
本発明の技術的課題は以上に言及した技術的課題に制限されず、言及されていないさらに他の技術的課題は以下の記載から当業者に明確に理解されるであろう。
【課題を解決するための手段】
【００１２】
上記の目的を達成するための、本発明によるキャビティフィルタの実施形態は、一面に電極パッドが備えられた外部部材に対して所定距離離隔して備えられたＲＦ信号連結部と、前記外部部材の電極パッドと前記ＲＦ信号連結部とを電気的に連結させるが、前記所定距離に存在する組立公差を吸収すると同時に前記電極パッドと前記ＲＦ信号連結部との間の電気的な流れの断絶を予防する端子部とを含み、前記端子部は、前記電極パッドに接点する一側端子と、前記ＲＦ信号連結部に連結される他側端子とを含み、前記一側端子および前記他側端子の少なくともいずれか１つは、他の１つが収容される収容空間が形成され、組立者が提供する組立力によって少なくとも１つの一部が弾性変形して前記一側端子を前記電極パッド側に弾性支持するとともに相互間に側面テンションを付加する。
【００１３】
ここで、前記他側端子には、前記一側端子の一部が収容される前記収容空間が形成される。
【００１４】
また、前記一側端子の外周面には、外側に上方傾斜して切開されて延びた複数の切開片が形成される。
【００１５】
また、前記複数の切開片は、前記一側端子の外周面のうち相対的に上側部分に形成され、前記他側端子に形成された前記収容空間の外周端に係止されるように外側に延びて形成された弾性切開片と、前記一側端子の外周面のうち相対的に下側部分に形成され、前記他側端子の収容空間の内部に収容されて前記収容空間の内側面に対して側方に弾性力を付加する側面テンション切開片とを含むことができる。
【００１６】
また、前記側面テンション切開片は、前記収容空間の内側面に対して持続的な側面テンションを付加するように形成される。
【００１７】
また、前記一側端子のうち前記電極パッドに接点する接点部は、半球の垂直断面形状に形成されてもよい。
【００１８】
また、前記一側端子のうち前記電極パッドに接点する接点部は、リング形状の水平断面形状に形成されてもよい。
【００１９】
また、前記一側端子の上端部は、組立者から提供される組立力によって摺綴されるように切開溝が形成される。
【００２０】
また、前記他側端子の上端部は、前記一側端子の下部に収容されて備えられ、前記一側端子には、組立者から提供される組立力によって下方に移動する時、前記他側端子の上端部の外側面に沿って広がるように備えられたテンション切開部が形成される。
【００２１】
また、前記他側端子の上端部は、円錐形態で備えられてもよい。
【００２２】
また、前記他側端子の上端部は、円錐形態からなる上端の一部が切開されて削除された形状に形成されてもよい。
【００２３】
本発明によるコネクティング構造体の一実施形態は、一面に電極パッドが備えられた外部部材に対して所定距離離隔して備えられたＲＦ信号連結部と、前記外部部材の電極パッドと前記ＲＦ信号連結部とを電気的に連結させるが、前記所定距離に存在する組立公差を吸収すると同時に前記電極パッドと前記ＲＦ信号連結部との間の電気的な流れの断絶を予防する端子部とを含み、前記端子部は、前記電極パッドに接点する一側端子と、前記ＲＦ信号連結部に連結される他側端子とを含み、前記一側端子および前記他側端子の少なくともいずれか１つは、他の１つが収容される収容空間が形成され、組立者が提供する組立力によって少なくとも１つの一部が弾性変形して前記一側端子を前記電極パッド側に弾性支持するとともに相互間に側面テンションを付加する。
【発明の効果】
【００２４】
本発明によれば、ＲＦコネクタがボディ内に厚さ方向に内蔵されてよりスリムでコンパクトな構造設計が可能で、複数のフィルタの組立時に発生する組立公差の累積量を最小化できる組立方式と、実装が容易でありながらもフィルタの周波数特性を均一に維持するＲＦ信号連結構造設計が可能であり、相対的な動きを許容しながらも側面テンションを付加して安定的な連結が可能なため、アンテナの性能低下を防止することができる。
【図面の簡単な説明】
【００２５】
【図１】例示的なＭａｓｓｉｖｅ  ＭＩＭＯアンテナの積層構造を図式化した図であり、
【図２】本発明の一実施形態によるキャビティフィルタがアンテナボードと制御ボードとの間に積層された状態を示す断面図であり、
【図３】本発明の一実施形態によるキャビティフィルタの構造を底側から眺めた平面透視図であり、
【図４】本発明の第１実施例によるキャビティフィルタを示す分解斜視図であり、
【図５】本発明の第１実施例によるキャビティフィルタを示す断面図であり、
【図６】図４の構成のうち端子部を示す斜視図であり、
【図７】本発明の第２実施例によるキャビティフィルタを示す分解斜視図であり、
【図８】本発明の第２実施例によるキャビティフィルタを示す断面図であり、
【図９】図７の構成のうち端子部を示す斜視図であり、
【図１０】本発明の第３実施例によるキャビティフィルタを示す分解斜視図であり、
【図１１】本発明の第３実施例によるキャビティフィルタを示す断面図であり、
【図１２】図１０の構成のうち端子部を示す斜視図であり、
【図１３】本発明の第４実施例によるキャビティフィルタを示す分解斜視図であり、
【図１４】本発明の第４実施例によるキャビティフィルタを示す断面図であり、
【図１５】図１３の構成のうち端子部を示す斜視図であり、
【図１６】本発明の第５実施例によるキャビティフィルタを示す分解斜視図であり、
【図１７】本発明の第５実施例によるキャビティフィルタを示す断面図であり、
【図１８】図１６の構成のうち端子部を示す斜視図であり、
【図１９】本発明によるコネクティング構造体の一実施形態を示す断面図である。
【発明を実施するための形態】
【００２６】
以下、本発明の一部の実施例を例示的な図面により詳細に説明する。各図面の構成要素に参照符号を付加するにあたり、同一の構成要素については、たとえ他の図面上に表示されていても、できる限り同一の符号を有するようにしていることに留意しなければならない。また、本発明の実施例を説明するにあたり、かかる公知の構成または機能に関する具体的な説明が本発明の実施例に対する理解を妨げると判断された場合、その詳しい説明は省略する。
【００２７】
本発明の実施例の構成要素を説明するにあたり、第１、第２、Ａ、Ｂ、（ａ）、（ｂ）などの用語を使うことができる。このような用語は、その構成要素を他の構成要素と区別するためのものに過ぎず、その用語によって当該構成要素の本質や順番または順序などが限定されない。また、異なって定義されない限り、技術的または科学的な用語を含む、ここで使われるすべての用語は、本発明の属する技術分野における通常の知識を有する者によって一般的に理解されるのと同一の意味を有する。一般的に使われる、辞書に定義されているような用語は、関連技術の文脈上有する意味と一致する意味を有すると解釈されなければならず、本出願において明確に定義しない限り、理想的または過度に形式的な意味で解釈されない。
【００２８】
図１は、例示的なＭａｓｓｉｖｅ  ＭＩＭＯアンテナの積層構造を図式化した図である。
【００２９】
図１は、本発明の一実施形態によるキャビティフィルタが含まれたアンテナアセンブリが内蔵されるアンテナ装置１の例示的な外形を示したに過ぎず、実際の積層時の外形を限定するものではない。
【００３０】
アンテナ装置１は、ヒートシンク（Ｈｅａｔ  ｓｉｎｋ）が形成されたハウジング２と、ハウジング２に結合されたレドーム（ｒａｄｏｍｅ）３とを含む。ハウジング２とレドーム３との間にはアンテナアセンブリが内蔵可能である。
【００３１】
ハウジング２の下部には、例えば、ドッキング（ｄｏｃｋｉｎｇ）構造によりパワーサプライユニット（ＰＳＵ、Ｐｏｗｅｒ  Ｓｕｐｐｌｙ  Ｕｎｉｔ）４が結合され、パワーサプライユニット４は、アンテナアセンブリに備えられた通信部品を動作させるための動作電源を提供する。
【００３２】
通常、アンテナ組立体は、前面に複数のアンテナ素子６が配列されるアンテナボード５の背面にキャビティフィルタ（Ｃａｖｉｔｙ  ｆｉｌｔｅｒ）７がアンテナの個数だけ配置され、関連するＰＣＢボード８が次に積層される構造を有する。キャビティフィルタ７は、実装前に個別的に仕様に合わせた周波数特性を有するように細部的にチューニングおよび検証されて用意できる。このようなチューニングおよび検証過程は、実装状態と同じ特性の環境で迅速に行われることが好ましい。
【００３３】
図２は、本発明の一実施形態によるキャビティフィルタがアンテナボードと制御ボードとの間に積層された状態を示す断面図である。
【００３４】
本発明の一実施形態によるキャビティフィルタ２０は、図２を参照すれば、図１に示された通常のＲＦコネクタ９０を排除可能なため、その連結が容易になり、より低い高さプロファイルを有するアンテナ構造を提供することができる。
【００３５】
また、高さ方向の両面にＲＦ連結部を具備するが、本発明の一実施形態によるキャビティフィルタ２０で連結することにより、アンテナボード５あるいはＰＣＢボード８に振動および熱変形が発生してもＲＦ連結が同一に維持されて周波数特性の変化がないという利点がある。
【００３６】
図３は、本発明の一実施形態によるキャビティフィルタの構造を底側から眺めた平面透視図である。
【００３７】
図３を参照すれば、本発明の一実施形態によるキャビティフィルタ２０は、ＲＦ信号連結部３１（図４以下の図面符号３１参照）を含み、内部が中空の第１ケース（図面符号表記せず）と、第１ケースを覆う第２ケース（図面符号表記せず）と、第１ケースの長手方向の両側にキャビティフィルタ２０の高さ方向に備えられた端子部（図４の図面符号４０参照）と、端子部４０の両側に備えられた組立穴２３を含むフィルタモジュール３０とを含む。端子部４０は、第１ケースに備えられた端子挿入口２５を貫通して外部部材８、例えば、アンテナボードおよびＰＣＢボードのいずれか１つで備えられた外部部材８の電極パッド（図面符号表記せず）とＲＦ信号連結部３１とを電気的に連結する。
【００３８】
このような端子部４０は、ＲＦ信号連結部３１によって、図面上、その下端が支持され、上側でアンテナボードまたはＰＣＢボードで備えられた外部部材８が密着結合される時、外部部材８の一面に備えられた電極パッドに対して常時接点しながら、端子挿入口２５内に存在する組立公差を解消できるように弾性支持できる。
【００３９】
すなわち、本発明によるキャビティフィルタ２０は、端子部４０が後述のように一側端子および他側端子として分離されて備えられ、側面テンションを付加するための形状および組立公差を吸収するための具体的な構成によって、後述のように多様な実施例で実現できる。
【００４０】
より詳しくは、端子部４０は、図面上、上側部と下側部との間が分離される２つの部材で備えられるが、２つの部材のいずれか１つの部材の一部が他の１つの部材の一部に挿入される分離型で備えられてもよい。
【００４１】
一般的に、端子部４０が、図示しないが、一体型フィルタで備えられた場合、組立公差を解消するために、組立者による所定の組立力が供給されると、端子部４０をなす一部が弾性変形する弾性体で備えられる。ただし、端子部４０が一体に形成された一体型フィルタは、その一端と他端との間まで電気的な流れの断絶が予見されないことから、別途に側面テンションを付加するための別の形状設計を必要としない。
【００４２】
しかし、端子部４０が２つの部材に分離された分離型フィルタで備えられた場合、組立公差の解消は、分離された一側端子５０と他側端子６０とが上述した所定の組立力によって互いにオーバーラップされて移動しながら全体長さが収縮可能に備えられ、組立力が除去される時、その全体長さが伸長して復元されるように別の弾性切開片５２が備えられる。ただし、端子部４０が一側端子５０と他側端子６０とに分離されて備えられることから、互いにオーバーラップされて移動する時、電気的な流れの断絶が発生する恐れがあるので、一側端子５０および他側端子６０のいずれか１つが弾性体で備えられるか、側面テンションを付加するための別の形状変更が必須として要求される。
【００４３】
ここで、「側面テンション」という用語は、上述のように、一側端子５０と他側端子６０との間の電気的な流れの断絶を防止するために、一側端子５０および他側端子６０のいずれか１つが他の１つに向かって長手方向と異なる方向に伝達する力と定義することができる。
【００４４】
一方、アンテナ装置の特性上、上述した端子部４０の形状変更の設計時には、上述した端子挿入口２５内でのインピーダンスマッチング設計が並行されなければならないが、本発明によるキャビティフィルタ２０の実施例の詳細な説明では、端子挿入口２５内でのインピーダンスが整合された状態であることを前提として記述する。したがって、図４以下の図面により説明する本発明によるキャビティフィルタの実施例の構成のうち、端子挿入口２５内に端子部４０とともに挿入される誘電体または補強プレートのような構成の外形は、インピーダンスマッチング設計によってそれぞれ異なる形状を取ることができる。
【００４５】
図４は、第１実施例によるキャビティフィルタの一部の構成を示す分解斜視図であり、 図５は本発明の第１実施例によるキャビティフィルタを示す断面図であり、図６は、図４の構成のうち端子部４０を示す斜視図である。
【００４６】
本発明の第１実施例によるキャビティフィルタ２０は、図４〜図６に示すように、一面に電極パッド（図面符号表記せず）が備えられた外部部材８に対して所定距離離隔して備えられたＲＦ信号連結部３１と、外部部材８の電極パッドとＲＦ信号連結部３１とを電気的に連結させるが、前記所定距離に存在する組立公差の解消が可能になると同時に電極パッドとＲＦ信号連結部との間の電気的な流れが断絶されることが防止可能な構造を有する端子部４０とを含む。
【００４７】
ここで、外部部材８は、図２に示すように、他面にアンテナ素子が配置されたアンテナボードまたは増幅器（Ｐｏｗｅｒ  Ａｍｐｌｉｆｉｅｒ、ＰＡ）、デジタルボード（Ｄｉｇｉｔａｌ  ｂｏａｒｄ）およびＴＸ  Ｃａｌｉｂｒａｔｉｏｎが一体のワンボード（ｏｎｅ−ｂｏａｒｄ）で備えられたＰＣＢボードのいずれか１つを通称する用語であり得る。
【００４８】
以下では、図３のように、本発明によるキャビティフィルタ２０の実施例を構成する外観構成を第１ケースおよび第２ケースに区分せず、端子挿入口２５が備えられたフィルタ本体２１と通称し、図面符号２１で指し示す。
【００４９】
フィルタ本体２１には、図４〜図５に示すように、端子挿入口２５が中空形態で備えられてもよい。端子挿入口２５の形態は、後述する複数の実施例に適用されるインピーダンスマッチング設計によって異なる形態を有することができる。
【００５０】
フィルタ本体２１の一面、特に、後述する端子部４０のうち一側端子５０が備えられた側の一面にはワッシャ設置部２７が溝加工されて形成される。ワッシャ設置部２７は、後述するスターワッシャ９０の外側枠部位が係止されて上側に離脱することが防止されるように端子挿入口２５よりも大きい内径を有するように溝加工形成されてもよい。
【００５１】
同時に、本発明の第１実施例によるキャビティフィルタ２０は、ワッシャ設置部２７に設置固定されるスターワッシャ９０をさらに含むことができる。
【００５２】
以下、本発明の第１実施例だけでなく、後述する本発明のすべての実施例に共通してスターワッシャ９０が備えられるものとして前提して説明する。したがって、第１実施例以外の他の実施例において別途にスターワッシャ９０に関する具体的な説明がなくてもこれを含むものと理解されなければならない。
【００５３】
スターワッシャ９０は、リング形状に備えられた固定段９１がワッシャ設置部２７に固定され、固定段９１からアンテナボードおよびＰＣＢボードのいずれか１つで備えられた外部部材８の電極パッド側の中心に向かって上方傾斜して形成された複数の支持段９２を含むことができる。
【００５４】
このようなスターワッシャ９０は、組立者によってアンテナボードおよびＰＣＢボードのいずれか１つで備えられた外部部材８に、本発明によるキャビティフィルタ２０の実施例を組立てる場合、上述した組立穴を通した、図示しない締結部材などによる締結力に対して、複数の支持段９２がアンテナボードおよびＰＣＢボードのいずれか１つで備えられた外部部材８の一面に支持されながら弾性力を付加することができる。
【００５５】
このような複数の支持段９２の弾性力の付加は、端子部４０の電極パッドに対する接触面積を均一に維持させることができる。
【００５６】
また、スターワッシャ９０のリング形状の固定段９１が電気的な信号を伝達するように備えられた端子部４０の外側を取り囲むように備えられて、一種の接地端子（Ｇｒｏｕｎｄ  ｔｅｒｍｉｎａｌ）の役割を果たすことができる。
【００５７】
さらに、スターワッシャ９０は、本発明によるキャビティフィルタ２０の実施例のアンテナボードおよびＰＣＢボードのいずれか１つで備えられた外部部材８の間に存在する組立公差を解消する役割を果たす。
【００５８】
ただし、スターワッシャ９０によって吸収される組立公差は、後述のように、端子挿入口２５内に存在するものとして、端子部４０によって吸収される組立公差とは区別される概念である。すなわち、本発明の実施例によるキャビティフィルタは、単一の組立過程で別の部材によって少なくとも２箇所で全体的な組立公差を吸収するように設計されることで、より安定的な結合をはかることができる。
【００５９】
本発明の第１実施例によるキャビティフィルタ２０において、端子部４０は、図４〜図６に示すように、外部部材８の電極パッドに接点する一側端子５０と、ＲＦ信号連結部３１にプレート形態で形成されたソルダホール３２に固定される他側端子６０とを含むことができる。
【００６０】
ここで、一側端子５０および他側端子６０のいずれか１つは、他の１つの内部に挿入されて、組立時にそれぞれの端部の一部が互いに所定長さオーバーラップ（Ｏｖｅｒｌａｐ）されて配置される。
【００６１】
本発明の第１実施例によるキャビティフィルタ２０では、図面上（図４および図５参照）、他側端子６０の上端部６１に形成された収容空間側に一側端子５０の下端部が挿入される。このために、他側端子６０の下端部６２は、一側端子５０の下端部が挿入されるように内部の空いている中空管形態で備えられてもよい。
【００６２】
より詳しくは、本発明の第１実施例によるキャビティフィルタ２０において、端子部４０は、図４〜図６に示すように、端子挿入口２５のうち上側に配置され、アンテナボードおよびＰＣＢボードのいずれか１つで備えられた外部部材８に形成された電極パッドに接点可能な接点面が上端に形成された接点部５３を含む一側端子５０と、端子挿入口２５のうち下側に配置されるが、一側端子５０の一部を収容するとともに、下端部６２がＲＦ信号連結部３１のプレートに形成されたソルダホール３２にソルダ固定される他側端子６０とを含むことができる。
【００６３】
ここで、接点部５３は、図４および図５に示すように、その端部位に所定の接点面積が形成されるようにしながら、電極パッドに対する接点面積ができる限り最小化されるように半球の垂直断面形状を有するように備えられてもよい。
【００６４】
一方、一側端子５０は、外周面に外側に上方傾斜して切開されて延びた複数の切開片５２’、５２”をさらに含むことができる。
【００６５】
複数の切開片５２’、５２”は、一側端子５０の外周面のうち、後述する側面テンション切開片５２”に対して相対的に上側部分に形成され、他側端子６０の上端部６１に形成された収容空間の外周端に対して係止されるように外側に延びて形成された弾性切開片５２’を含むことができる。このような弾性切開片５２’は、組立者による組立力の提供時、他側端子６０の内部に収容されながら、収容空間の上端に相当する他側端子６０の上端部６１に係止されて所定の弾性力を発生させ、その弾性力によって相対的に一側端子５０を他側端子６０に対して上側に押し上げることができる。
【００６６】
同時に、複数の切開片５２’、５２”は、弾性切開片５２’の下部に相当する一側端子５０の外周面に形成され、他側端子６０の収容空間の内部に収容されて収容空間の内側面に対して側方に弾性力を付加する側面テンション切開片５２”をさらに含むことができる。
【００６７】
弾性切開片５２’は、上述のように、組立者の組立力が提供されて、一側端子５０が下方に押圧されると、他側端子６０の収容空間の外側からその内部に収容されるように一側端子５０が移動する時、一側端子５０の外周面側に折り畳まれるように弾性変形しながら相対的に一側端子５０を他側端子６０に対して上側に押し上げる弾性力を付加して、端子挿入口２５内に存在する組立公差を吸収する機能を果たす。
【００６８】
同時に、側面テンション切開片５２”は、他側端子６０の内側面に対して持続的な側面テンションを付加することにより、２つの部材に分離構成された一側端子５０と他側端子６０との間の電気的な流れの断絶を防止する役割を果たす。
【００６９】
一方、本発明の第１実施例によるキャビティフィルタ２０は、図４および図５に示すように、端子挿入口２５内に配置され、端子部４０のうち他側端子６０の下端部６２が貫通する端子貫通ホール９７が形成された補強プレート９５をさらに含むことができる。
【００７０】
補強プレート９５は、組立者が提供する組立力によって一側端子５０が他側端子６０の内部に収容されるように移動しながら他側端子６０に所定の組立力が伝達される時、他側端子６０を強固に支持することにより、結果として、他側端子６０の下端部６２がソルダ固定されるＲＦ信号連結部３１を補強する役割を果たす。
【００７１】
図７は、本発明の第２実施例によるキャビティフィルタを示す分解斜視図であり、図８は、本発明の第２実施例によるキャビティフィルタを示す断面図であり、図９は、図７の構成のうち端子部を示す斜視図である。
【００７２】
本発明の第２実施例によるキャビティフィルタ２０は、図７〜図９に示すように、第１実施例によるキャビティフィルタ２０と対比して、一側端子１５０の上端部１５１に備えられた接点部１５３の形状を異にする。
【００７３】
すなわち、第１実施例によるキャビティフィルタ２０において、接点部５３の断面形状は、接点面がその接点面積を最小化できる点接点形態で備えられるように半球の垂直断面形状を取るのに対し、第２実施例によるキャビティフィルタ２０では、接点部１５３の接点面が線接点形態（具体的には、リング形状の水平断面の接点形態）で備えられるように形成されてもよい。
【００７４】
このような本発明の第２実施例のキャビティフィルタ２０は、点接触による第１実施例によるキャビティフィルタ２０の接点不良現象を補完できるようになる。
【００７５】
その他の一側端子１５０および他側端子１６０の形状および構造と、補強プレート１９５の具体的な形状および構造は、第１実施例と同一または類似のもので備えられるので、その具体的な説明は第１実施例の説明に代える。
【００７６】
図１０は、本発明の第３実施例によるキャビティフィルタを示す分解斜視図であり、図１１は、本発明の第３実施例によるキャビティフィルタを示す断面図であり、図１２は、図１０の構成のうち端子部を示す斜視図である。
【００７７】
本発明の第３実施例によるキャビティフィルタ２０は、図１０〜図１２に示すように、第１実施例によるキャビティフィルタ２０と対比して、一側端子２５０の上端部の形状を異にする。
【００７８】
すなわち、第１実施例によるキャビティフィルタ２０において、一側端子５０の上端部５１は、組立者が提供する組立力によって弾性変形しないリジッド（ｒｉｇｉｄ）な材質からなるが、第３実施例によるキャビティフィルタ２０は、一側端子２５０の上端部である接点部２５３を介して組立者の組立力が提供されると、下方に摺綴可能な切開溝２５４が形成できる。
【００７９】
このような本発明の第３実施例のキャビティフィルタ２０は、接点部２５３を介して組立者の組立力が提供される時、一側端子２５０の上端部２５１が切開溝２５４の切開高さだけ下方に押圧されながら弾性変形することから、第３実施例のキャビティフィルタ２０の構成のうち弾性切開片２５２’の機能を補完する役割を果たす。
【００８０】
その他の一側端子２５０および他側端子２６０の形状および構造と、補強プレート２９５の具体的な形状および構造は、第１実施例と同一または類似のもので備えられるので、その具体的な説明は省略する。
【００８１】
図１３は、本発明の第４実施例によるキャビティフィルタを示す分解斜視図であり、図１４は、本発明の第４実施例によるキャビティフィルタを示す断面図であり、図１５は、図１３の構成のうち端子部を示す斜視図である。
【００８２】
本発明の第４実施例によるキャビティフィルタ２０において、端子部３６０は、図１３〜図１５に示すように、端子挿入口２５のうち上側に配置され、上端部にアンテナボードおよびＰＣＢボードのいずれか１つで備えられた外部部材８に形成された電極パッドに接点する接点面を有する接点部３５３が形成され、中空管形態で備えられた下端部３５２に外力によって下端が外部に広がるように切開されたテンション切開部３５５が形成された一側端子３５０と、端子挿入口２５のうち下側に配置され、上端部３６１の一部が一側端子３５０の下端部３５２の内部に挿入されるように備えられ、下端部３６２がＲＦ信号連結部３１のプレートに形成されたソルダホール３２にソルダ固定される他側端子３６０とを含むことができる。
【００８３】
ここで、他側端子３６０の上端部３６１は、図１３および図１５に示すように、その上端が中空管形態で備えられた一側端子３５０の下端部３５２の内部に挿入可能な外径を有するが、その下端が一側端子３５０の下端部３５２の内径よりも大きく形成された略円錐形態で形成されてもよい。
【００８４】
したがって、組立者が提供する組立力によって一側端子３５０が下方に押圧される時、一側端子３５０の下端部に形成されたテンション切開部３５５によって一側端子３５０の下端部３５２が他側端子３６０の上端部３６１の外側面に沿って広がりながら相対的に他側端子３６０に対して上部に押し上げる弾性力が付加されると同時に、他側端子３６０の上端部３６１の外周面に向かって側面テンションを加える。
【００８５】
このような構成からなる本発明の第４実施例によるキャビティフィルタ２０によれば、一側端子３５０の下端部に形成されたテンション切開部３５５と他側端子３６０の上端部３６１の形状のマッチング設計により、端子挿入口２５内の組立公差を吸収すると同時に側面テンションの付加による電気的な流れの断絶を防止することができる。
【００８６】
一方、本発明の第４実施例によるキャビティフィルタ２０は、図１３および図１４に示すように、端子挿入口２５内で挿入配置され、端子部３４０との関係から、インピーダンスマッチング設計のための誘電体３７０と、端子部３４０のうち他側端子３６０を端子挿入口２５内で固定して、結果として、ＲＦ信号連結部３１を補強する補強プレート３９５をさらに含むことができる。
【００８７】
誘電体３７０と補強プレート３９５には、それぞれ一側端子３５０および他側端子３６０が貫通する端子貫通ホール３７１、３９７が形成される。
【００８８】
図１６は、本発明の第５実施例によるキャビティフィルタを示す分解斜視図であり、図１７は、本発明の第５実施例によるキャビティフィルタを示す断面図であり、図１８は、図１６の構成のうち端子部を示す斜視図である。
【００８９】
本発明の第５実施例によるキャビティフィルタ２０は、図１６〜図１８に示すように、第４実施例によるキャビティフィルタ２０と対比して、テンション切開部４５５が形成された一側端子４５０の下端部４５２が下方へいくほど外側に所定角度傾斜した垂直断面を有するように形成される。
【００９０】
また、他側端子４６０の上端部４６１は、第４実施例によるキャビティフィルタ２０の円錐形態からなる上端の一部が水平に切開されて削除される形状に形成されてもよい。
【００９１】
その他の一側端子４５０および他側端子４６０の形状および構造と、誘電体４７０および補強プレート４９５の具体的な形状および構造は、第４実施例と同一または類似のもので備えられるので、その具体的な説明は省略する。
【００９２】
上記のように構成される本発明の多様な実施例は、端子部４０自体の弾性変形または別の弾性付加構造を導入することにより、端子挿入口２５内に存在する組立公差を吸収すると同時に持続的な弾性力を付加して電極パッドに対する接点性能を確保するとともに、端子部４０の一部の構成を切開するように構成することで電気的な流れの断絶を予め防止して、結局、アンテナ装置の性能低下を防止するという利点を有する。
【００９３】
図１９は、本発明によるコネクティング構造体の一実施形態を示す断面図である。
【００９４】
これまで説明した本発明によるキャビティフィルタの多様な実施例は、一つのモジュールに製作されて、アンテナボードまたはＰＣＢボードのような外部部材８の一面に付着する形態で実現されることに限定して説明した。しかし、本発明の実施例が必ずしもこれに限定されるものではなく、図１９に示すように、モジュール形態への製作の如何に関係なく、外部部材８の一面に備えられた電極パッドとの間に備えられて、他の連結部材３１’との電気的な連結をはかる端子部４０が備えられたコネクティング構造体１’として実現される変形実施も可能であろう。
【００９５】
以上の説明は本発明の技術思想を例示的に説明したに過ぎず、本発明の属する技術分野における通常の知識を有する者であれば、本発明の本質的な特性を逸脱しない範囲で多様な修正および変形が可能であろう。
【００９６】
したがって、本発明に開示された実施例は本発明の技術思想を限定するためではなく説明するためのものであり、このような実施例によって本発明の技術思想の範囲が限定されるものではない。本発明の保護範囲は以下の特許請求の範囲によって解釈されなければならず、それと同等範囲内にあるすべての技術思想は本発明の権利範囲に含まれると解釈されなければならない。
【産業上の利用可能性】
【００９７】
本発明は、ＲＦコネクタがボディ内に厚さ方向に内蔵されてよりスリムでコンパクトな構造設計が可能で、複数のフィルタの組立時に発生する組立公差の累積量を最小化できる組立方式と、実装が容易でありながらもフィルタの周波数特性を均一に維持するＲＦ信号連結構造設計が可能であり、相対的な動きを許容しながらも側面テンションを付加して安定的な連結が可能でアンテナの性能低下を防止できるキャビティフィルタおよびこれに含まれるコネクティング構造体を提供する。
【符号の説明】
【００９８】
２０：キャビティフィルタ
２１：フィルタ本体
２５：端子挿入口
２７：設置溝
３０：フィルタモジュール
３１：ＲＦ信号連結部
３２：ソルダホール
４０：端子部
５０：一側端子
６０：他側端子
７０：誘電体
７１：端子貫通ホール
８０：弾性部材
９５：補強プレート
【図１】
2021527982.tif 000003
【図２】
2021527982.tif 000004
【図３】
2021527982.tif 000005
【図４】
2021527982.tif 000006
【図５】
2021527982.tif 000007
【図６】
2021527982.tif 000008
【図７】
2021527982.tif 000009
【図８】
2021527982.tif 000010
【図９】
2021527982.tif 000011
【図１０】
2021527982.tif 000012
【図１１】
2021527982.tif 000013
【図１２】
2021527982.tif 000014
【図１３】
2021527982.tif 000015
【図１４】
2021527982.tif 000016
【図１５】
2021527982.tif 000017
【図１６】
2021527982.tif 000018
【図１７】
2021527982.tif 000019
【図１８】
2021527982.tif 000020
【図１９】
2021527982.tif 000021
【国際調査報告】
2021527982.tif 000022
2021527982.tif 000023
2021527982.tif 000024
2021527982.tif 000025